(57)【要約】【課題】上まつげや上まぶたによりアイリスが覆われている場合の、認証対象のアイリスの面積を大きくし、認証率を改善する。【解決手段】利用者のアイリスを撮影するカメラ２０と、カメラの光軸に対して上側に設けられた視線方向付け手段３０とを備えて構成し、利用者の視線をカメラの光軸に対して、上側に向ける。【選択図】図１
2010267121.tif 000002
【特許請求の範囲】
【請求項１】
利用者のアイリスを撮影するカメラと、
前記カメラの光軸に対して上側に設けられた視線方向付け手段と
を備えることを特徴とするアイリス撮影装置。
【請求項２】
利用者のアイリスを撮影するカメラと、
視線方向付け手段と
を備え、
前記カメラの光軸に対する、前記視線方向付け手段の鉛直方向の位置が可変であり、前記視線方向付け手段が、前記カメラの光軸に対して上側に配置可能である
ことを特徴とするアイリス撮影装置。
【請求項３】
利用者のアイリスを撮影するカメラと、
視線方向付け部と
を備え、
前記視線方向付け部が、鉛直方向の位置が異なる複数の発光手段を備え、
少なくとも１つの前記発光手段が、前記カメラの光軸に対して上側に設けられていて、
前記アイリスの撮影時には、複数の前記発光手段のいずれか１つが発光して、視線方向付け手段となる
ことを特徴とするアイリス撮影装置。
【請求項４】
利用者のアイリスを撮影するカメラと、
視線方向付け手段と
を備え、
前記カメラが、アイリス撮影可能位置を中心とする円弧上を移動可能であり、
前記視線方向付け手段を、前記カメラの光軸に対して上側に配置できる
ことを特徴とするアイリス撮影装置。
【請求項５】
前記カメラから利用者までの距離を測定する測距部をさらに備え、
前記カメラが、前記測距部での測定結果を用いて合焦制御を行うオートフォーカス機能、及び、前記測定結果を用いて撮影倍率制御を行うオートズーム機能を備える
ことを特徴とする請求項１〜４のいずれか一項に記載のアイリス撮影装置。
【請求項６】
登録者の両目のアイリスデータが格納されているアイリス辞書と、
前記カメラが撮影した画像データから、両目のアイリスデータをそれぞれ取得する目画像切り出し手段と
をさらに備えることを特徴とする請求項１〜５のいずれか一項に記載のアイリス撮影装置。
【発明の詳細な説明】
【技術分野】
【０００１】
この発明は、生体認証技術の１つであるアイリス（虹彩）認証に用いられるアイリス撮影装置に関するものである。
【背景技術】
【０００２】
原則として、アイリス認証は、撮影された画像データから、アイリスや瞳孔をその形状である円を利用して検出し、検出したアイリスから認証に必要な特徴部分を抽出して行われる。このため、一般的なアイリス撮影装置では、アイリス撮影装置のカメラの光軸と、利用者の視線を一致させることで、画像データのアイリスの形状を、極力、円形に近づけている。
【０００３】
図７を参照して、従来の一般的なアイリス撮影装置について説明する。図７は、従来のアイリス撮影装置の模式図である。
【０００４】
アイリス撮影装置１１０は、カメラ１２０と視線方向付け手段１３０を備えている。
【０００５】
カメラ１２０は、利用者の目８０を撮影し、画像データを出力する。カメラ１２０は、例えば、電荷結合素子（ＣＣＤ：Ｃｈａｒｇｅ  Ｃｏｕｐｌｅｄ  Ｄｅｖｉｃｅ）などの撮像素子と、撮影用レンズを含んでいる。
【０００６】
視線方向付け手段１３０は、アイリス撮影装置１１０の、利用者に対向する面（以下、装置前面と称する。）１１０ａに設けられている。視線方向付け手段１３０は、アイリスの撮影時に、利用者に注視させる器具である。視線方向付け手段１３０は、鏡やＬＥＤなどで構成される。
【０００７】
このアイリス撮影装置１１０では、装置前面１１０ａと、カメラ１２０の光軸（図中、点線Ｉで示す。）との交点（図中、ＩＩＩで示す。）近傍に設けられている。この構成では、撮影時に、視線方向付け手段１３０を利用者に注視させることによって、利用者の視線（図中、矢印ＩＩで示す。）を、カメラ１２０の光軸Ｉに一致させている。
【０００８】
なお、利用者の利便性を向上させるため、利用者の視線と、カメラの光軸とが一致していない場合であっても、アイリス認証を可能とする提案がなされている（例えば、特許文献１参照）。この特許文献１に開示されている技術によれば、アイリス認証装置が、補正手段を備えていて、撮影されたアイリスが楕円形状の場合、これを円形状に補正する。このため、カメラの光軸（Ｉ）と、利用者の視線（ＩＩ）が一致していない状態で撮影が行われた場合であっても、アイリス認証が可能となっている。
【先行技術文献】
【特許文献】
【０００９】
【特許文献１】特開２００７−１１６６７号公報
【発明の概要】
【発明が解決しようとする課題】
【００１０】
しかしながら、図７を参照して説明した従来のアイリス撮影装置では、カメラの光軸と利用者の視線が一致していても、例えば、まつげがアイリスにかかっていると、まつげ部分がノイズ成分として扱われてしまい、本人拒否率が増加する場合がある。
【００１１】
また、アイリス認証を行うアルゴリズムによっては、まつげそのものだけでなく、まつげ間のアイリスが表出している部分までも、認証対象領域外とされてしまう場合もある。この場合、結果的にまつげそのものの面積以上に、認証対象となるアイリスの面積が減ってしまい、本人拒否率の増加につながる。
【００１２】
この問題を解決するためには、利用者に目を大きく開けてもらうことが１つの対策として考えられる。しかし、目を大きくあけることのできない利用者や、まつげが長く、アイリスにかかりやすい利用者にとっては、この対策では、上述の問題を解決できない。
【００１３】
また、目を大きく開けることを利用者に強いることは、利用者にとっての利便性の低下を意味する。
【００１４】
そこで、この出願に係る発明者が鋭意研究を行ったところ、利用者の視線がカメラの光軸に対して上側に向いていると、本人拒否率を低下させ、認証率を改善できることを見出した。この理由について、図８を参照して説明する。
【００１５】
一般に、上まぶた８４にあるまつげ（上まつげ）８８は、下まぶた８６にあるまつげ（下まつげ）９０に比べて長い。また、上まつげ８８は、上まぶた８４から上方向に巻き上がるように伸びている人もいれば、下向きに垂れ下がるように伸びている人もいて、個人差がある。一方、下まつげ９０は、下まぶた８６から下向きに垂れ下がるように伸びていることがほとんどであり、上方向に巻き上がることは稀である。
【００１６】
このようなまつげの形状により、利用者の視線（ＩＩ）が、カメラの光軸（Ｉ）に一致していると、アイリス８２には、特にその上方部において上まつげ８８が覆いかぶさってしまう。この結果、認証対象のアイリス８２の面積Ｓ１が小さくなる（図８（Ａ）参照）。
【００１７】
一方、利用者の視線（ＩＩ）がカメラの光軸（Ｉ）に対して上側に向いていると、上まつげ８８によるアイリス８２の隠蔽の影響が少なくなるので、認証対象のアイリス８２の面積Ｓ２が大きくなる（図８（Ｂ）参照）。
【００１８】
また、利用者の視線（ＩＩ）に対するカメラの光軸（Ｉ）の鉛直面内での角度（仰角）が、２０°以下であれば、仰角が０°の場合、すなわち、利用者の視線がカメラの光軸に一致している場合と比べて、性能差はほとんど生じないという結果も報告されている（例えば、ＩＲＩＳ  ＲＥＣＯＧＮＩＴＩＯＮ  ＳＴＵＤＹ  ２００６  （ＩＲＩＳ０６）（http://www.authenti-corp.com/iris06/report/IRIS06_final_report_v1-0_20070901.pdf）のＦｉｇ．６−３２参照）。
【００１９】
このように、利用者の視線がカメラの光軸に対して上側に向いていると、本人拒否率を改善できる。
【００２０】
この発明は、上述の問題点に鑑みてなされたものであり、この発明の目的は、上まつげや上まぶたにより、利用者のアイリスが覆われている場合に、認証対象のアイリスの面積を大きくし、本人拒否率を低下させる、すなわち、認証率を改善させるアイリス撮影装置を提供することである。
【課題を解決するための手段】
【００２１】
上述した目的を達成するために、この発明のアイリス撮影装置は、利用者のアイリスを撮影するカメラと、カメラの光軸に対して上側に設けられた視線方向付け手段とを備えて構成される。
【００２２】
また、この発明のアイリス撮影装置の他の好適実施形態によれば、利用者のアイリスを撮影するカメラと、視線方向付け手段とを備えて構成され、カメラの光軸に対する、視線方向付け手段の鉛直方向の位置が可変であり、視線方向付け手段が、カメラの光軸に対して上側に配置可能である。
【００２３】
また、この発明のアイリス撮影装置の他の好適実施形態によれば、利用者のアイリスを撮影するカメラと、視線方向付け部とを備え、視線方向付け部が、鉛直方向の位置が異なる複数の発光手段を備え、少なくとも１つの発光手段が、カメラの光軸に対して上側に設けられていて、アイリスの撮影時には、複数の発光手段のいずれか１つが発光して、視線方向付け手段となる。
【００２４】
また、この発明のアイリス撮影装置の他の好適実施形態によれば、利用者のアイリスを撮影するカメラと、視線方向付け手段とを備え、カメラが、アイリス撮影可能位置を中心とする円弧上を移動可能であり、視線方向付け手段を、カメラの光軸に対して上側に配置できる。
【００２５】
上述したアイリス撮影装置の実施にあたり、好ましくは、カメラから利用者までの距離を測定する測距部をさらに備え、カメラが、測距部での測定結果を用いて合焦制御を行うオートフォーカス機能、及び、測定結果を用いて撮影倍率制御を行うオートズーム機能を備えるのが良い。
【００２６】
また、上述したアイリス撮影装置の実施にあたり、好ましくは、登録者の両目のアイリスデータが格納されているアイリス辞書と、カメラが撮影した画像データから、両目のアイリスデータをそれぞれ取得する目画像切り出し手段とをさらに備えるのが良い。
【発明の効果】
【００２７】
この発明のアイリス撮影装置によれば、利用者の視線がカメラの光軸に対して上側に向いていると、上まつげによるアイリスの隠蔽の影響が少なくなるので、認証対象のアイリスの面積が大きくなり、その結果として、本人拒否率を低下させ、認証率を改善できる。
【００２８】
また、カメラの光軸に対する、視線方向付け手段の鉛直方向の位置が可変であり、視線方向付け手段が、カメラの光軸に対して上側に配置可能であると、上まつげや上まぶたによるアイリスの隠蔽の影響の大小に応じた適切な状態で撮影可能になり、認証率のさらなる改善につながる。
【００２９】
また、アイリス撮影装置が、カメラから利用者までの距離を測定する測距部をさらに備え、カメラが、測距部での測定結果を用いて合焦制御を行うオートフォーカス機能、及び、測定結果を用いて撮影倍率制御を行うオートズーム機能を備えると、撮影可能範囲が広がり、利用者の利便性が向上する。
【００３０】
また、登録者の両目のアイリスデータが格納されているアイリス辞書と、カメラが撮影した画像データから、両目のアイリスデータをそれぞれ取得する目画像切り出し手段とをさらに備えると、一方の目で認証できない場合に、他方の目のデータをそのまま利用できるので、再度の撮影処理が不要となり、認証に係る時間を短縮することができる。
【図面の簡単な説明】
【００３１】
【図１】第１実施形態のアイリス撮影装置の模式図である。
【図２】第１実施形態のアイリス撮影装置のブロック図である。
【図３】第２実施形態のアイリス撮影装置のブロック図である。
【図４】第３実施形態のアイリス撮影装置のブロック図である。
【図５】第４実施形態のアイリス撮影装置の模式図及びブロック図である。
【図６】第５実施形態のアイリス撮影装置の模式図及びブロック図である。
【図７】アイリス撮影装置の従来例の模式図である。
【図８】カメラの光軸と利用者の視線との関係を説明する模式図である。
【発明を実施するための形態】
【００３２】
以下、図を参照して、この発明の実施の形態について説明するが、各構成要素の配置関係については、この発明が理解できる程度に概略的に示したものに過ぎない。また、以下、この発明の好適な構成例につき説明するが、数値的条件などは、単なる好適例にすぎない。従って、この発明は以下の実施の形態に限定されるものではなく、この発明の構成の範囲を逸脱せずにこの発明の効果を達成できる多くの変更又は変形を行うことができる。
【００３３】
（第１実施形態）
図１及び図２を参照して、第１実施形態のアイリス撮影装置について説明する。図１は、利用者の視線と、アイリス撮影装置が備えるカメラの光軸との関係を示す、アイリス撮影装置の模式図である。また、図２は、アイリス撮影装置のブロック図である。
【００３４】
アイリス撮影装置１０は、カメラ２０、測距部２２、照明部２４、視線方向付け手段３０、制御部４０及びアイリスデータベース（ＤＢ）７０を備えている。制御部４０は、例えば、中央処理装置（ＣＰＵ：Ｃｅｎｔｒａｌ  Ｐｒｏｃｅｓｓｉｎｇ  Ｕｎｉｔ）とＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）などの記憶手段を備えて構成される。制御部４０が、記憶手段に格納されているプログラムを実行することにより、機能手段として、距離判定手段５０、撮像制御手段５２、画像処理手段５４、アイリス特徴抽出手段５６、アイリス照合手段５８及び結果出力手段６０が実現される。
【００３５】
カメラ２０は、制御部４０からの指示に応答してアイリスを含む利用者の目８０を撮影し、画像データを出力する。カメラ２０は、例えば、電荷結合素子（ＣＣＤ）などの撮像素子と、撮影用レンズを含んでいる。カメラ２０から出力された画像データは、制御部４０に送られる。
【００３６】
測距部２２は、例えば、赤外光による３点測量の原理を用いて、カメラ２０から利用者までの距離を測定する。測距部２２で測定された距離情報は、制御部４０に送られる。
【００３７】
照明部２４は、アイリスの撮影に適切な輝度の光を、利用者に対して照射する。利用者に対する光の照射や、照射される光の輝度の調整は、制御部４０からの指示に応答して行われる。照明部２４は、例えば発光ダイオード（ＬＥＤ）で構成され、ＬＥＤを流れる電流の大きさに応じて、輝度が定まる。
【００３８】
視線方向付け手段３０は、アイリス撮影装置１０の、利用者に対向する面（以下、装置前面と称する。）１０ａに設けられている。視線方向付け手段３０は、アイリスの撮影時に、利用者に注視させる器具である。視線方向付け手段３０は、鏡やＬＥＤなどで構成される。
【００３９】
この実施形態のアイリス撮影装置１０では、カメラ２０の光軸が、水平方向に対して、鉛直上向きに所定の角度で傾けられていて、視線方向付け手段３０は、カメラ２０の光軸と、装置前面１０ａとの交点（図中、ＩＩＩで示す。）よりも、上側に設けられている。
【００４０】
距離判定手段５０は、測距部２２から受け取った距離情報を用いて、カメラ２０と利用者との距離が撮影可能範囲内であるか否かを判定する。カメラ２０と利用者との距離が撮影可能範囲内である場合は、撮像制御手段５２に判定結果を送る。
【００４１】
撮像制御手段５２は、距離判定手段５０から判定結果を受け取ると、カメラ２０と照明部２４を制御する。この撮像制御手段５２の制御により、カメラ２０及び照明部２４が、利用者に対して適切な輝度の光を照射しながら、撮影を行う。
【００４２】
画像処理手段５４は、カメラ２０から受け取った画像データからアイリスを切り出す機能を有している。画像処理手段５４は、切り出したアイリスの情報を、アイリス特徴抽出手段５６に送る。
【００４３】
アイリス特徴抽出手段５６は、画像処理手段５４が切り出したアイリスの情報から、照合に用いる特徴データ（アイリスデータとも称する。）を抽出する。アイリス特徴抽出手段５６は、利用者のアイリスの特徴データをアイリス照合手段５８に送る。
【００４４】
アイリス照合手段５８は、アイリス特徴抽出手段５６から受け取った利用者のアイリスの特徴データと、アイリスＤＢ７０から読み出した登録者のアイリスの特徴データとを比較して、個人認証を行う。アイリスＤＢ７０には、予め、登録者のアイリスの特徴データが読出し自在に格納されている。アイリス照合手段５８でのアイリス照合の結果は、結果出力手段６０に送られる。
【００４５】
結果出力手段６０は、アイリス照合手段５８での個人認証の結果を出力する。
【００４６】
なお、制御部４０の各機能手段で行われる、アイリス認証処理については公知なので、ここでの詳細な説明は省略する。
【００４７】
この第１実施形態の構成によれば、アイリスの撮影時に、カメラの撮影可能範囲内にいる利用者が、視線方向付け手段３０を注視すると、利用者の視線が、カメラの光軸とは一致しない。また、利用者の視線が水平方向を向いているときに、カメラの光軸が水平方向に対し、所定の角度で上側に傾いていて、アイリスを下側から撮影することになる。このため、上まつげによるアイリスの隠蔽の影響が少なくなるので、認証対象のアイリスの面積が大きくなり、その結果として、本人拒否率を低下させ、認証率を改善できる。
【００４８】
なお、この第１実施形態では、利用者の視線を水平方向として、カメラの光軸を所定の角度で傾けている例を示しているが、この例に限定されない。利用者の便宜を考慮すると、利用者の視線を水平にするのが好ましいが、カメラの光軸を水平とし、利用者の視線が、水平方向に対して所定の角度で上方に傾いていても良い。
【００４９】
また、利用者が視線方向付け手段３０を注視することで、カメラの光軸よりも上側に、視線を向ける構成であれば良く、視線方向付け手段３０は、必ずしも装置前面１０ａに設けられていなくても良い。
【００５０】
利用者の視線と、カメラの光軸のなす角度が大きくなると、特許文献１に開示されているような、円形補正等の手段が必要になる場合がある。認証率は、利用者の視線と、カメラの光軸のなす角度だけでなく、画像の品質、認証に用いるアルゴリズム、利用者のまぶたやまつげの状態などにも依存するが、ＩＲＩＳ０６の報告によれば、利用者の視線と、カメラの光軸のなす角度を２０度程度にすることができる。
【００５１】
（第２実施形態）
図３を参照して、第２実施形態のアイリス撮影装置について説明する。図３は、アイリス撮影装置のブロック図である。
【００５２】
第２実施形態のアイリス撮影装置は、カメラ２１が、オートフォーカス機能及びオートズーム機能を備えて構成される点と、制御部４２が、さらにズーム・フォーカス変更手段６２を備える点が異なっている。それ以外の構成及び機能は、図１及び２を参照して説明した第１実施形態のアイリス撮影装置と同様なので、重複する説明を省略する。
【００５３】
ズーム・フォーカス変更手段６２は、距離判定手段５０での測距結果を利用して、撮影倍率を変更する。すなわち、アイリス撮影装置から利用者までの距離が異なる場合でも、画像中のアイリスが占める面積は、一定範囲に維持される。
【００５４】
このズーム・フォーカス変更手段６２が設定した撮影倍率の情報は、カメラ２１に送られる。カメラ２１は、オートズーム機能を備えていて、撮影倍率の情報を用いて、例えば、ズームレンズの位置を移動させることで、撮影倍率制御を行う。また、カメラ２１は、オートフォーカス機能を備えていて、撮影者までの距離、及び、撮影倍率の情報を用いて、合焦制御を行う。
【００５５】
第２実施形態の構成によれば、第１実施形態の構成と同様に、上まつげによるアイリスの隠蔽の影響が少なくなるので、認証対象のアイリスの面積が大きくなり、その結果として、本人拒否率を低下させ、認証率を改善できる。また、第１実施形態の構成では、撮影倍率を制御しないので、撮影時のカメラから利用者までの距離は、狭い範囲に限定される。これに対し、第２実施形態の構成によれば、カメラから利用者までの距離に応じて、好適な倍率で撮影を行うことができる。この結果、アイリス撮影時の利用者の位置の制限が緩和され、利用者の利便性が向上する。
【００５６】
（第３実施形態）
図４を参照して、第３実施形態のアイリス撮影装置について説明する。図４は、アイリス撮影装置のブロック図である。
【００５７】
第３実施形態のアイリス撮影装置は、制御部４４が、カメラ２０が撮影した画像データから両目のアイリスデータを取得する目画像切り出し手段６４をさらに備える点と、アイリスＤＢ７２に、登録者の両目のアイリスデータが格納されている点とが異なっている。それ以外の構成は、図１及び２を参照して説明した第１実施形態のアイリス撮影装置と同様なので、重複する説明を省略する。
【００５８】
目画像切り出し手段６４は、画像データから右目と左目の位置を決定する。目画像切り出し手段６４は、画像データから、右目及び左目の一方の目を含む画像を切り出す。この切り出した画像データを画像処理手段５４に送る。
【００５９】
制御部４４の各機能手段で行われる照合処理は、第１実施形態と同様に行われる。アイリスＤＢ７２には、登録者の右目と左目のアイリスデータが格納されていて、目画像切り出し手段６４が一方の目（ここでは、右目とする。）を含む画像を切り出した場合は、アイリス照合手段５８は、登録されている右目のアイリスデータとの照合を行う。
【００６０】
照合の結果、本人の認識ができた場合は、結果出力手段６０がその結果を出力して、アイリス認証処理を終了する。一方、本人の認識ができなかった場合は、目画像切り出し手段６４が、他方の目である左目を含む画像を切り出して、画像処理手段５４へ送り、照合処理を行う。
【００６１】
第３実施形態の構成によれば、第１実施形態の構成と同様に、上まつげによるアイリスの隠蔽の影響が少なくなるので、認証対象のアイリスの面積が大きくなり、その結果として、本人拒否率を低下させ、認証率を改善できる。さらに、第３実施形態の構成によれば、一方の目で認証できない場合に、他方の目のデータをそのまま利用できるので、再度の撮影処理が不要となる。この結果、認証に係る時間を短縮することができる。
【００６２】
ここでは、第１実施形態のアイリス撮影装置の構成及び機能に加えて、両目の撮影を可能とした例について説明したが、第２実施形態で説明した、オートフォーカス機能及びオートズーム機能をさらに備える構成にしても良い。
【００６３】
（第４実施形態）
上述した各実施形態のアイリス撮影装置では、利用者の視線と、カメラの光軸のなす角度が一定となっているが、カメラの光軸に対する、視線方向付け手段の鉛直方向の位置が可変であってもよい。以下、利用者の視線と、カメラの光軸のなす角度が可変である第４実施形態の構成例について、図５を参照して説明する。なお、図１及び２を参照して説明した第１実施形態のアイリス撮影装置と重複する説明は、省略する場合がある。
【００６４】
図５（Ａ）は、利用者の視線と、アイリス撮影装置の模式図である。また、図５（Ｂ）は、アイリス撮影装置のブロック図である。
【００６５】
アイリス撮影装置１６は、装置前面１６ａに視線方向付け部３２を備えている。視線方向付け部３２は、鉛直方向の位置が異なる複数の発光手段３３ａ、３３ｂ及び３３ｃを備えている。この複数の発光手段３３ａ、３３ｂ及び３３ｃの少なくとも１つが、カメラの光軸Ｉに対して、上側に設けられている。
【００６６】
制御部４６は、視線変更手段６６を備えている。視線変更手段６６は、複数の発光手段３３ａ、３３ｂ及び３３ｃを制御し、複数の発光手段３３ａ、３３ｂ及び３３ｃのいずれか１つを発光させる。アイリスの撮影時には、複数の発光手段３３ａ、３３ｂ及び３３ｃの中で、発光している発光手段が、視線方向付け手段として機能する。
【００６７】
この構成によれば、カメラの光軸に対する、視線方向付け手段の鉛直方向の位置が可変であり、視線方向付け手段を、カメラの光軸に対して上側に配置することができる。また、カメラの光軸に対する、視線方向付け手段の鉛直方向の位置が可変であると、上まつげや上まぶたによるアイリスの隠蔽の影響の大小に応じて適切な状態で撮影可能になり、本人拒否率のさらなる低減につながる。
【００６８】
ここでは、第１実施形態のアイリス撮影装置の構成及び機能に加えて、視線方向付け手段の位置を可変とした例について説明したが、第２実施形態で説明した、オートフォーカス機能及びオートズーム機能を備える構成や、第３実施形態で説明した両目のそれぞれの画像を切り出す機能を備える構成、あるいは、その両者を備える構成にしても良い。
【００６９】
（第５実施形態）
第４実施形態のアイリス撮影装置では、カメラの光軸Ｉが固定され、利用者の視線を可変としている。これに対し、第５実施形態のアイリス撮影装置では、利用者の視線ＩＩを固定し、カメラの光軸Ｉを可変としている。
【００７０】
図６（Ａ）は、第５実施形態の利用者の視線と、アイリス撮影装置の模式図である。また、図６（Ｂ）は、アイリス撮影装置のブロック図である。
【００７１】
アイリス撮影装置１８は、利用者のアイリスを撮影するカメラ２０を、移動させるカメラ可動手段２８を備えている。また、制御部４８は、光軸変更手段６８を備えている。
【００７２】
カメラ可動手段２８は、例えば、円弧状のレール等で構成される。カメラ２０は、光軸変更手段６８からの指示に応答して、モータ等の任意好適な従来周知の機構により、このカメラ可動手段２８上を動く。この場合、カメラ可動手段２８の円弧は、カメラの撮影可能範囲内のある点（以下、中心点と称し、図中、ＩＶで示す。）を中心としており、カメラは、可動する際に、その光軸Ｉが中心点を通るように可動する。また、視線方向付け手段３０を、カメラの光軸Ｉに対して上側に配置できる。
【００７３】
第５実施形態の構成によれば、第４実施形態の効果に加え、さらに、視線の方向が固定されているため、利用者にとって、視線を動かす必要がなく、利便性が向上するという効果が得られる。
【００７４】
ここでは、第１実施形態のアイリス撮影装置の構成及び機能に加えて、光軸の位置を可変とした例について説明したが、第２実施形態で説明した、オートフォーカス機能及びオートズーム機能を備える構成や、第３実施形態で説明した両目のそれぞれの画像を切り出す機能を備える構成、あるいは、その両者を備える構成にしても良い。
【符号の説明】
【００７５】
１０、１６、１８、１１０    アイリス撮影装置    
２０、２１、１２０    カメラ
２２    測距部
２４    照明部
２８    カメラ可動手段    
３０、１３０    視線方向付け手段    
３２    視線方向付け部
３３ａ、３３ｂ、３３ｃ  発光手段      
４０、４２、４４、４６、４８    制御部
５０    距離判定手段
５２    撮像制御手段
５４    画像処理手段
５６    アイリス特徴抽出手段
５８    アイリス照合手段
６０    結果出力手段
６２    ズーム・フォーカス変更手段
６４    目画像切り出し手段
６６    視線変更手段
６８    光軸変更手段
７０、７２    アイリスＤＢ
８０    利用者の目
８２    アイリス
８４    上まぶた
８６    下まぶた
８８    上まつげ
９０    下まつげ
【図１】
2010267121.tif 000003
【図２】
2010267121.tif 000004
【図３】
2010267121.tif 000005
【図４】
2010267121.tif 000006
【図５】
2010267121.tif 000007
【図６】
2010267121.tif 000008
【図７】
2010267121.tif 000009
【図８】
2010267121.tif 000010